(57)【特許請求の範囲】
【請求項１】
内視鏡を収納して運搬するための内視鏡用キャリングケースであって、
前記内視鏡用キャリングケースは、内視鏡を収納する収納溝を有するケース本体と、
前記ケース本体に連結部を介して開閉可能に連結された前記ケース本体を覆う蓋体と、
前記収納溝と前記内視鏡、及び前記蓋体と前記内視鏡とが直接接触しないように隔離する隔離手段と
を備え、
前記隔離手段は、柔軟なシートであり、
前記シートは、折り目の表示と、前記内視鏡を載せる位置を表す表示とを有することを特徴とする内視鏡用キャリングケース。
【請求項２】
前記シートは、前記ケース本体と前記蓋体に固定するための固定部材を有することを特徴とする請求項１に記載の内視鏡用キャリングケース。
【請求項３】
前記ケース本体と前記蓋体は、内周に沿って溝部を有し、
前記シートの端部は、前記溝部に収容されることを特徴とする請求項１に記載の内視鏡用キャリングケース。
【請求項４】
内視鏡を収納して運搬するための内視鏡用キャリングケースであって、
前記内視鏡用キャリングケースは、内視鏡を収納する収納溝を有するケース本体と、
前記ケース本体に連結部を介して開閉可能に連結された前記ケース本体を覆う蓋体と、
前記収納溝と前記内視鏡、及び前記蓋体と前記内視鏡とが直接接触しないように隔離する隔離手段と
を備え、
前記隔離手段は、柔軟なシートであり、
前記シートは、前記収納溝の形状と同形状の凹部を有することを特徴とする内視鏡用キャリングケース。
【請求項５】
前記シートは、前記ケース本体と前記蓋体に固定するための固定部材を有することを特徴とする請求項４に記載の内視鏡用キャリングケース。
【請求項６】
前記ケース本体と前記蓋体は、内周に沿って溝部を有し、
前記シートの端部は、前記溝部に収容されることを特徴とする請求項４に記載の内視鏡用キャリングケース。
【請求項７】
内視鏡用キャリングケースのケース本体と蓋体を一平面状に開放し、
前記ケース本体と前記蓋体の上に隔離手段を被せ、
前記隔離手段の上から前記ケース本体の内側に設けられた収納溝に内視鏡を挿入し、
挿入した内視鏡の上から前記蓋体の上部に被覆された側の隔離手段を被覆し、
前記隔離手段の端部を折り曲げて前記ケース本体の内側に収納し、
前記蓋体を前記ケース本体に被せて合体させる内視鏡の収納方法であって、
前記隔離手段は、柔軟なシートであり、
前記シートは、折り目の表示と、前記内視鏡を載せる位置を表す表示とを有することを特徴とする内視鏡の収納方法。
【請求項８】
内視鏡用キャリングケースのケース本体と蓋体を一平面状に開放し、
前記ケース本体と前記蓋体の上に隔離手段を被せ、
前記隔離手段の上から前記ケース本体の内側に設けられた収納溝に内視鏡を挿入し、
挿入した内視鏡の上から前記蓋体の上部に被覆された側の隔離手段を被覆し、
前記隔離手段の端部を折り曲げて前記ケース本体の内側に収納し、
前記蓋体を前記ケース本体に被せて合体させる内視鏡の収納方法であって、
前記隔離手段は、柔軟なシートであり、
前記シートは、前記収納溝の形状と同形状の凹部を有することを特徴とする内視鏡の収納方法。
【発明の詳細な説明】
【技術分野】
【０００１】
本発明は、内視鏡を収納して運搬するための内視鏡用キャリングケース及びその収納方法に関する。
【背景技術】
【０００２】
近年、在宅医療の普及により、往診で内視鏡を利用するケースがある。この場合、使用する内視鏡を運搬用のキャリングケースに収納して運搬する。使用済みの内視鏡は、必ず洗浄・消毒又は滅菌する必要があるため、検査が終わって汚れた状態の内視鏡を再びキャリングケースに収納して病院に持ち帰る。
【０００３】
そこで、内視鏡を収容する収容溝が凹設された本体部と、本体部の表面を覆うカバーと、を備え、収容溝に収容した内視鏡と収容溝との隙間を、流入時には流体状でその後固化する充填部材で満たした内視鏡用キャリングケースが提案されている（特許文献１参照）。このように、この内視鏡用キャリングケースでは、ケース内部に内視鏡を外部からの衝撃から保護するための保護機構を有するため、内視鏡を運搬する際の衝撃から保護される。
【先行技術文献】
【特許文献】
【０００４】
【特許文献１】特開２００５−２４５６４９号公報
【発明の概要】
【発明が解決しようとする課題】
【０００５】
しかしながら、この内視鏡用キャリングケースでは、ケースの収容溝に内視鏡を収容することにより、内視鏡が未滅菌物である収容溝等に接触するため、内視鏡を使用する際には滅菌処理を施す必要がある。また、使用済みの内視鏡をそのまま洗浄せず、未滅菌の状態でケース内に収納すると、ケース内が汚染される可能性がある。
【０００６】
したがって、本発明は、内視鏡がケース内に直接触れることなく収納される内視鏡用キャリングケースを提供することを課題とする。
【課題を解決するための手段】
【０００７】
本発明は上記課題を解決するためになされたものであり、本発明に係る内視鏡用キャリングケースは、内視鏡を収納して運搬するための内視鏡用キャリングケースであって、内視鏡を収納する収納溝を有するケース本体と、ケース本体に連結部を介して開閉可能に連結されたケース本体を覆う蓋体と、収納溝と内視鏡、及び蓋体と内視鏡とが直接接触しないように隔離する隔離手段とを備えることを特徴とする。収納溝と内視鏡、蓋体と内視鏡とが、それぞれ隔離手段によって隔離されるため、内視鏡が収納溝や蓋体と直接接触することが防止され、使用前の滅菌済みの内視鏡がケースによって汚染されること、及び使用済みの内視鏡によりケース内が汚染されることを防ぐことができる。また、内視鏡が収納溝に収納されているので、外部からの衝撃から保護され、安定した状態で運搬することができる。
【０００８】
隔離手段は、柔軟なシートであることが好ましい。この場合には、内視鏡が収納溝や蓋体と直接接触しないように隔離することが容易となる。
【０００９】
シートは、折り目の表示と、内視鏡を載せる位置を表す表示とを有することが好ましい。この場合には、収納溝の上に内視鏡を載置する際に、内視鏡の載せる位置を間違えることなく、容易に載せることが可能となる。また、シートの端部を折り曲げてケース本体の内側に収納するのが容易になる。
【００１０】
シートは、収納溝の形状と同形状の凹部を有することが好ましい。この場合には、収納溝の上に内視鏡を載置する際に、内視鏡の載せる位置を間違えることなく、容易に載せることが可能となる。
【００１１】
シートは、ケース本体と蓋体に固定するための固定部材を有することが好ましい。この場合には、シートがケース本体と蓋体に固定されるため、内視鏡を収納する作業が容易となる。
【００１２】
ケース本体と蓋体は、内周に沿って溝部を有し、シートの端部は、溝部に収容されることが好ましい。この場合には、シートの収納が容易になる。
【００１３】
隔離手段は、柔軟な袋状であっても構わない。収納溝と内視鏡、蓋体と内視鏡とが、それぞれ隔離手段によって隔離されるため、内視鏡が収納溝や蓋体と直接接触することが防止される。
【００１４】
本発明に係る内視鏡の収納方法は、内視鏡用キャリングケースのケース本体と蓋体を一平面状に開放し、ケース本体と蓋体の上に隔離手段を被せ、隔離手段の上からケース本体の内側に設けられた収納溝に内視鏡を挿入し、挿入した内視鏡の上から蓋体の上部に被覆された側の隔離手段を被覆し、隔離手段の端部を折り曲げて本体の内側に収納し、蓋体をケース本体に被せて合体させることを特徴とする。収納溝と内視鏡、蓋体と内視鏡とが、それぞれ隔離手段によって隔離されるため、内視鏡が収納溝や蓋体と直接接触することが防止される。
【発明の効果】
【００１５】
本発明によれば、内視鏡がケース内に直接触れることなく収納され、使用前の滅菌済みの内視鏡がケースによって汚染されること、及び使用済みの内視鏡によりケース内が汚染されることを防ぐことができる内視鏡用キャリングケースを提供することができる。
【図面の簡単な説明】
【００１６】
【図１】内視鏡用キャリングケースの蓋を開放した状態を示す斜視図である。
【図２】（ａ）は内視鏡キャリングケースを上から見た平面図であり、（ｂ）は図２（ａ）のＢ−Ｂ線に沿う矢視断面図である。
【図３】内視鏡用キャリングケースにシートをかぶせた状態を示す説明図である。
【図４】シートの上から内視鏡を載置し、収納溝に内視鏡が収納されている状態を示す説明図である。
【図５】シートの一端を折り曲げて内視鏡の上にかぶせた状態を示す説明図である。
【図６】シートの両端を重ねて折り曲げた状態を示す説明図である。
【図７】本体に蓋体を被せて、内視鏡用キャリングケースを閉じた状態を示す説明図である。
【図８】本発明の第２実施形態に係る内視鏡用キャリングケースの説明図である。
【図９】本発明の第３実施形態に係る内視鏡用キャリングケースの説明図である。
【図１０】本発明の第４実施形態に係る内視鏡用キャリングケースの説明図である。
【図１１】本発明の第５実施形態に係る内視鏡用キャリングケースの説明図である。
【図１２】本発明の第６実施形態に係る内視鏡用キャリングケースの説明図である。
【発明を実施するための形態】
【００１７】
本発明の第１実施の形態に係る内視鏡用キャリングケースを図を用いて説明する。本発明の第１実施の形態に係る内視鏡用キャリングケースは、図１に示す内視鏡用キャリングケース１０と、シート２０（図３参照）を備える。
【００１８】
図１に示すように、内視鏡用キャリングケース１０は、長方形の開口容器状に形成されたケース本体１１とケース本体１１を覆う蓋体１２を備える。ケース本体１１と蓋体１２は、それぞれポリプロピレン等の耐薬品性の高い合成樹脂によって形成される。ケース本体１１と蓋体１２は連結部１３によって開閉可能に連結される。
【００１９】
ケース本体１１の側面には、内視鏡用キャリングケース１０を搬送するときに把持する把手１４が設けられている。把手１４の両側には、蓋体１２をケース本体１１に閉じ位置でロックするためのロック機構１５が設けられている。ロック機構１５は、蓋体１２に設けられた係合凹部１６に係合することでケース本体１１と蓋体１２とをロックする。
【００２０】
ケース本体１１は、内側に内視鏡３０（図４参照）や、内視鏡３０の付属品（不図示）を収納するための収納溝１８が形成された収納部１７を有する。収納部１７は、内視鏡３０やその付属品を衝撃から保護するための保護手段であり、スポンジ等の柔軟なクッション材で形成され、ケース本体１１に着脱自在に取り付けられる。
【００２１】
図１及び図２に示されるように、収納部１７に形成された収納溝１８は、そこに挿入する内視鏡３０及びその付属品の形状に沿って形成される。例えば、内視鏡３０は可撓管状の挿入部を有するため、収容溝１８は、内視鏡及びその付属品類が折れ曲がることがない状態に嵌め込まれるように形成される。
【００２２】
蓋体１２には、ケース本体１１の収納部１７と同様に、内側に内視鏡３０やその付属品を衝撃から保護するための保護手段となる柔軟なクッション材が張りあわされている。内視鏡３０と付属品をケース本体１１の収容溝１８に嵌め込んでケース本体１１と蓋体１２を閉じることにより、内視鏡３０と付属品を収納し、安定した状態に保持して運搬することができる。
【００２３】
図３に示すように、本発明の第１実施形態に係る内視鏡用キャリングケースは、図１に示す内視鏡用キャリングケース１０に内視鏡３０を収納する際に用いるシート２０を備える。シート２０は、収納溝１８と内視鏡３０、及び蓋体１２と内視鏡３０とが直接接触しないように隔離する隔離手段であり、使用前の滅菌済みの内視鏡が内視鏡用キャリングケース１０によって汚染されること、及び検査に使用された後の内視鏡により内視鏡用キャリングケース１０内が汚染されることを防ぐものである。
【００２４】
シート２０は、図３に示すように、内視鏡用キャリングケース１０のケース本体１１と蓋体１２を一平面状に開放し、その上にシート２０をかぶせた場合に、内視鏡用キャリングケース１０より充分大きいことが必要である。シート２０は、水、細菌、ウイルスが通過しない材質であり、血液・体液を吸収し、更に、強度を備え、滅菌使用可能であることが好ましい。例えば、シート２０は滅菌済みの医療用不織布であることが好ましい。滅菌の方法は、例えば、蒸気滅菌、ＥＯＧ滅菌があげられる。また、薬品の使用や摩擦などによりバインダー成分の溶出がないことが好ましい。このシート２０は、必要な時に必要な分だけ使用でき、開封後１枚ずつすぐに使用できるよう、１枚ずつ個装されていることが好ましい。シート２０を包装するパックは、空気、ガス等が透過しやすく、かつ細菌等の遮断性に優れているものを使用することが好ましい。
【００２５】
次に、図３〜図７を用いて、本発明の実施の形態に係る内視鏡用キャリングケース１０を用いた内視鏡の収納方法を説明する。
【００２６】
まず、図３に示すように、内視鏡用キャリングケース１０のケース本体１１と蓋体１２を一平面状に開放し、ケース本体１１と蓋体１２の上に隔離手段であるシート２０を拡げて被せる。
【００２７】
次に、図４に示すように、シート２０のうち、ケース本体１１側に被せられた本体側シート２０ａにおいて、シート２０の上から内視鏡３０を載置し、シート２０の上から内視鏡３０をケース本体１１に設けられた収納溝１８に挿入して、収納する。
【００２８】
図５に示すように、シート２０の蓋体１２に被せられた蓋体側シート２０ｂを、本体側シート２０ａと重なるように折り曲げて内視鏡３０の上に被せる。
【００２９】
次に、図６に示すように、収納溝１８に挿入した内視鏡３０の上に被覆した蓋体側シート２０ｂと本体側シート２０ａとを重ねた状態で端部を折り曲げてケース本体１１の内側に収納する。
【００３０】
図７に示すように、蓋体１２をケース本体１１に被せて合体させ、内視鏡用キャリングケース３０を閉じる。このようにして内視鏡３０を内視鏡用キャリングケース１０の内部に収納する。ここで、内視鏡３０は、本体側シート２０ａと蓋体側シート２０ｂとによって被覆された状態となり、収納溝１８と内視鏡３０は本体側シート２０ａによって、蓋体１２と内視鏡３０とは蓋体側シート２０ｂによって隔離される。このため、内視鏡３０が収納溝１８や蓋体１２と直接接触することが防止され、使用前の内視鏡がケースによって汚染されること、及び使用済みの内視鏡によりケース内が汚染されることを防ぐことができる。
【００３１】
使用前の滅菌済みの内視鏡３０を収納した後は、ケース本体１１と蓋体１２を閉じることにより、内視鏡３０と付属品を収容した状態で運搬することができ、目的地でケース本体１１と蓋体１２を開いて、内視鏡３０と付属品を取り出すことができる。また、使用後の内視鏡３０を収納した後は、ケース本体１１と蓋体１２を閉じることにより、内視鏡３０と付属品を外部から隔離した状態で搬送できる。使用済みの内視鏡３０をシート２０で被覆した状態で取りだし、そのまま洗浄・滅菌の工程にまわすことができるため、洗浄に携わる人への感染を防ぐことができる。
【００３２】
次に、本発明の第２実施形態について説明する。図８に示すように、第２実施形態ではシート１２０は、本体側シート１２０ａに、載置する内視鏡３０の位置を示す表示線１２１と、蓋体側シート１２０ｂと本体側シート１２０ａとを重ねた状態で端部を折り曲げてケース本体１１の内側に収納する際に折り曲げる位置を示す表示線１２２を有する。第２実施形態では、収納溝１８の上に内視鏡３０を載置する際に、内視鏡３０の載せる位置を間違えることなく、容易に載せることが可能となる。また、シート１２０の端部を折り曲げてケース本体１１の内側に収納することが容易となる。
【００３３】
次に、本発明の第３実施形態について説明する。図９に示すように、第３実施形態ではシート２２０は、本体側シート２２０ａに、ケース本体１１の収納溝１８と同形状の凹部２２１を有する。第３実施形態では、収納溝１８の上に内視鏡３０を載置する際に、内視鏡３０を載せる位置を間違えることなく、容易に載せることが可能となる。また、凹部２２１はケース本体１１の収納溝１８の形状と同形状であり、収納溝１８は挿入する内視鏡３０の形状に沿って形成されているので、内視鏡３０を挿入した際に安定した状態で保持される。
【００３４】
次に、本発明の第４実施形態について説明する。図１０に示すように、第４実施形態ではシート３２０は、その４隅にシート３２０をケース本体１１と蓋体１２に固定するための固定部材として、面ファスナー３２１ａ、３２１ｂ、３２１ｃ、３２１ｄを有する。本体側シート３２０ａ側に設けられた面ファスナー３２１ａ、３２１ｂを、ケース本体１１に設けられた付着部１１１ａ、１１１ｂに固定し、蓋体側シート３２０ｂ側に設けられた面ファスナー３２１ｃ、３２１ｄを、蓋体１２に設けられた付着部１１１ｃと図示しないもう１つの付着部に固定する。第４実施形態では、シート３２０がケース本体１１と蓋体１２に固定されるため、内視鏡３０を内視鏡用キャリングケース１０内に収納する作業が容易となる。なお、シート３２０は、内視鏡３０を載置する前にケース本体１１と蓋体１２に固定しても良いし、内視鏡３０を載置した後に固定しても構わない。また、固定部材は面ファスナーの他に、スナップボタン等の他の部材であっても構わない。
【００３５】
次に、本発明の第５実施形態について説明する。図１１に示すように、第５実施形態ではケース本体１１と蓋体１２は、内周に沿ってシート収納溝１９ａ、１９ｂを有し、ケース本体１１と蓋体１２に被せるシート（不図示）の端部は、折り曲げずにシート収納溝１９ａ、１９ｂに収容することが可能である。第５実施形態では、シートの端部を折り曲げずに収納できるため、内視鏡３０の収納が容易となる。なお、シートの端部は、内視鏡３０を載置する前にシート収納溝１９ａ、１９ｂに収容しても良いし、内視鏡３０を載置した後に収容しても構わない。
【００３６】
次に、本発明の第６実施形態について説明する。図１２に示すように、第６実施形態では、隔離手段としてシートではなく柔軟な収納袋４２０を用いている。第６実施形態では、内視鏡３０をケース本体１１に収納する前に、収納袋４２０に挿入することによって、収納溝１８と内視鏡３０、蓋体１２と内視鏡３０とが直接接触しないように隔離される。
【００３７】
以上、図面を参照しながら本発明の実施形態について説明したが、本発明はかかる実施形態に限定されない。
【符号の説明】
【００３８】
１０  内視鏡用キャリングケース
１１  ケース本体
１２  蓋体
１３  連結部
１４  把手
１５  ロック機構
１６  係合凹部
１７  収納部
１８  収納溝
１９ａ、１９ｂ  シート収納溝
２０、１２０、２２０、３２０  シート
３０  内視鏡
４２０  収納袋
【図１】
0005631190.tif 000002
【図２】
0005631190.tif 000003
【図３】
0005631190.tif 000004
【図４】
0005631190.tif 000005
【図５】
0005631190.tif 000006
【図６】
0005631190.tif 000007
【図７】
0005631190.tif 000008
【図８】
0005631190.tif 000009
【図９】
0005631190.tif 000010
【図１０】
0005631190.tif 000011
【図１１】
0005631190.tif 000012
【図１２】
0005631190.tif 000013